(57)【要約】    【課題】  透光パネル面に溜まる雨水による光量低下を防止し、雨天時等においても照明効果を確保することのできる照明器具を提供する。    【解決手段】  灯具本体１１内に電球１２を備え、前面に透光パネル２０を枠体２１により保持し止水パッキン２８を介して前記灯具本体１１に取り付けた照明器具１において、前記枠体２１が、透光パネル２０の周縁部に当接する当接部２３と、灯具本体１１の外周部に着脱自在に係合する係合部２６とからなり、前記当接部２３の前記透光パネル２０との当接面２３ａに該枠体２１の径方向に延びる溝部３１を該枠体２１の周方向に複数設けて透光パネルとの間に隙間Ｓ１，Ｓ２を形成し、かつ前記灯具本体１１の外周部１３と枠体２１の係合部２６との間に前記溝部３１に連続する空間部Ｓ３を該灯具本体１１の外縁にまで形成する。    【選択図】  図５
2006236846.tif 000002
【特許請求の範囲】
【請求項１】
灯具本体内に光源を備え、前面に透光パネルを枠体により保持し防水部材を介して前記灯具本体に取り付けた照明器具において、
前記枠体が、前記透光パネルの周縁部に当接する当接部と、前記灯具本体に着脱自在に係合する係合部とからなり、
前記当接部の前記透光パネルとの当接面に該枠体の径方向に延びる溝部を該枠体の周方向に複数設け、かつ前記灯具本体の外周部と前記枠体の係合部との間に前記溝部に連続する空間部を該灯具本体の外縁にまで形成した
ことを特徴とする照明器具。
【請求項２】
光の照射方向が自在であるスポットライト型照明器具である請求項１に記載の照明器具。
【発明の詳細な説明】
【技術分野】
【０００１】
本発明は、照明器具に関し、より詳しくは屋外での使用においても雨水などによる光量低下を防止する照明器具に関するものである。
【背景技術】
【０００２】
従来、屋外において使用される照明器具は、ランプ及び反射板を内部に配置した灯具本体の前面に、ガラス製などの透光パネルをゴムパッキンなどの防水部材を灯具本体との間に挟み灯具内部を密閉した防水構造とし、内部に雨水が入り込まない構成にされたものが一般的である（例えば、特許文献１，２）。
【特許文献１】特開平８−３１５６０９号公報
【特許文献２】特開２００１−２９１４２１号公報
【発明の開示】
【発明が解決しようとする課題】
【０００３】
上記のような透光パネルとパッキンを用いて灯具内部を密閉した従来の防水型照明器具は、灯具内部の防水性を有して雨水の侵入を防ぎ耐久性を改善することはできる。しかしながら、雨天時に上方に光を照射させ使用する場合に、透光パネル面に雨水が溜まりと雨水の模様が照射面に出たり、ランプの熱によって雨水が蒸発して水蒸気が発生し光が妨げられたり、或いは透光パネル面が汚れることにより光量を低下させるという問題がある。
【０００４】
本発明は、上記の問題に鑑みてなされたものであり、透光パネル面に溜まる雨水による光量低下を防止し、雨天時等においても照明効果を確保することのできる照明器具を提供することを目的とするものである。
【課題を解決するための手段】
【０００５】
本発明の照明器具は、灯具本体内に光源を備え、前面に透光パネルを枠体により保持し防水部材を介して前記灯具本体に取り付けた照明器具において、前記枠体が、前記透光パネルの周縁部に当接する当接部と、前記灯具本体に着脱自在に係合する係合部とからなり、前記当接部の前記透光パネルとの当接面に該枠体の径方向に延びる溝部を該枠体の周方向に複数設け、かつ前記灯具本体の外周部と前記枠体の係合部との間に前記溝部に連続する空間部を該灯具本体の外縁にまで形成したことを特徴とする。
【０００６】
本発明の照明器具は、光の照射方向が自在であるスポットライト型照明器具とすることができる。
【発明の効果】
【０００７】
本発明の照明器具によると、透光パネルの上面に降り注ぐ雨水がパネル面の傾斜に従って透光パネルの低面側に流れ、底面部に流れた雨水は枠体に設けた溝部とパネル面の隙間から係合部の空間部に沿って流れ灯具本体の外部に排出されるので、パネル上面に雨水が溜まることがなく、パネル面上の雨水の模様が照射面に出たり、ランプの熱によって雨水が蒸発して水蒸気が発生し光が妨げられたり、或いは透光パネル面が汚れることによる光量低下などの問題が解消され、雨天時においても十分な照明効果を発揮することができる。
【発明を実施するための最良の形態】
【０００８】
以下、本発明の実施の形態を図面に基づいて説明する。
【０００９】
本実施形態の照明器具はスポットライト型であり、主として地上や建屋の外部などの屋外の取り付け面に取り付けられるもので、光の照射方向を自在に調整することができる。
【００１０】
図１は照明器具の主要部分を断面図で示した側面図、図２は灯具部分の正面図、図３は枠体の正面図、図４は図３のＡ−Ｏ−Ｂ線断面図であり、図５は図１のＣ部の拡大図である。
【００１１】
照明器具１は、前面に開口部１０を設けた筒状の灯具本体１１内に光源の電球型蛍光灯１２と反射板１６とを備えた灯具２と、前記開口部１０に灯具本体１１の外側から覆設され該開口部１０を閉塞するとともに光を透過させる透光パネル２０を備えた枠体２１と、灯具２を支持するアーム４と、取り付け面Ｍに照明器具１を固定するための取付台５とから構成されている。
【００１２】
電球１２は灯具本体１１の後方に設けられたソケット取付具１５に接続されたソケット１４に取り付けられ、ソケット１４には照明器具１への給電用の電源線やアース線４１が接続されており、アーム４と取付台５の内部配線を通じて電力が供給される。なお、ソケット取付具１５はソケット１４からの放熱効果を向上させるためにアルミニウム製を用いることが好ましく、またアース線も太いものが放熱効果がよく好ましい。
【００１３】
また灯具本体１１には、電球１２が発する光を透光パネル２０を介して外部に配光する反射板１６が係止用のリング状バネ１７により着脱自在に灯具本体１１の内周に沿って装着され、容易に反射板１６を着脱できるようになっている。
【００１４】
なお、光源には図示する電球型蛍光灯以外にも白熱電球、蛍光灯、ハロゲンランプなどの各種のものが使用でき、光源の種類や照明用途に合わせて灯具本体や反射板を選択使用することができるもので、照明器具は図示する外観、形状には何ら限定されるものではない。
【００１５】
灯具本体１１の開口部１０の先端面には防水部材としてのシリコンゴム等からなる止水パッキン２８を受け入れるための凹溝１８が全周に設けられている。
【００１６】
また、灯具本体１１の開口部１０側端部の内方には、枠体２１の内周面の係合ぶ２６に設けられた係合用のネジ溝２５に螺合し灯具本体１１と枠体２１とを一体化するためのネジ溝１９がその外周全周に設けられている。
【００１７】
透光パネル２０はガラス製の円盤状体であり、枠体２１内方の当接部２３に透光パネル２０の周縁部が当接し、係止用のリング状バネ２２により枠体の内部に装着されている。投光パネル２０は通常強化ガラスが使用されるが、プラスチック製などのものであってもよい。
【００１８】
前記枠体２１は、図に示すように、灯具本体１１の開口部１０を外方から覆設する略円環状体からなり、内部に装着した透光パネル２０により開口部１０を閉塞しながら光を透過するもので、透光パネル２０の周縁部が当接する当接部２３を枠体２１の内周面２４から内方に向けて立設して設け、また灯具本体１１側の内周面２４には上記灯具本体１１に設けたネジ溝１９と螺合するネジ溝２５が全周に設けられ灯具本体１１との係合部２６を形成している。なお、前記ネジ溝１９，２５は後述する雨水などを通過させるための該ネジ溝を横断する切り欠き部（図示せず）が周方向に複数個所設けられている。
【００１９】
枠体２１の内周面２４の内周径Ｄ１は、透光パネル２０の入れ替えを容易にするため透光パネル２０の外周径Ｄよりも大きく設定されている。これにより当接部２３における枠体２１の内周、すなわち内周面２４と透光パネル２０の外周部との間には隙間Ｓ２が形成されるようになっている。
【００２０】
また、灯具本体１１の外周と枠体２１の係合部２６との間には前記隙間Ｓ２に通じる空間部Ｓ３が灯具本体１１の外縁にまで形成されるように、上記内周径Ｄ１と灯具本体１１端部の外周形状が設定されている。
【００２１】
ここで、上記枠体２１は、図３，４に示すように、当接部２３の内側、すなわち透光パネル２０の周縁部との接触面２３ａの周上に、枠体２１の内周側端部から径方向に内周面２４まで延びる溝部３１が該枠体２１の周方向に複数設けられ（図では周方向に６０°間隔で６個所）、これにより枠体２１の当接部２３と透光パネル２０の間に所定間隔を置いて隙間Ｓ１が形成されることになり、この隙間Ｓ１は上記隙間Ｓ２と連続するものとなる。
【００２２】
この溝部３１は、透光パネル２０の面上に開放された隙間Ｓ１に雨水などが流れ込むものであれば、溝部の断面形状や寸法、及び開口数は特に限定されず、灯具やパネル面の形状、大きさに合わせて適宜選択することができる。例えば、本実施形態においては、溝幅が２〜１０ｍｍ、その深さが０．５〜１ｍｍ程度のものが示される。
【００２３】
本実施形態の照明器具１は、灯具２に設けられるアーム４と、アーム４の端部に設けられる取付台５とを備えており、取付面Ｍに対して取付台５をボルト５１により固定し取り付けられる。また、アーム４は取付台５に灯具２を水平方向に回動自在にする回動部４３と、灯具２を上下方向に回動させる調節ネジ部４２を有しており、灯具２の照射方向が上下、及び左右方向に調整可能な照射方向自在型となっている。
【００２４】
上記構成の灯具本体１１と枠体２１とは、灯具本体１１の開口部１０に透光パネル２０を備えた枠体２１を覆設し、両者のネジ溝１９，２５を螺合され締め込むことで灯具本体１１に対して止水パッキン２８を介して透光パネル２０固定され、さらに締め込むことで密着性を高めて灯具２を密閉して防水構造とし、屋外使用における雨水や塵埃の灯具２内部への侵入を防止するものとなる。
【００２５】
そして、本発明の照明器具１は、図５に示すように、枠体２１の当接部２３に設けた溝部３１が透光パネル２０の周縁部との間に透光パネル２０の面上に開放された隙間Ｓ１を形成し、この隙間Ｓ１が透光パネル２０の外周部との間の隙間Ｓ２と通じ、さらに灯具本体１１の外周と枠体２１の係合部２６との間の空間部Ｓ３に連続し、すなわち隙間Ｓ１，Ｓ２と空間部Ｓ３が連続して雨水の流路を形成するものになり、灯具本体１１の外縁に続くようになる。
【００２６】
これにより、照明器具１は、上方に向けて傾斜して設置された透光パネル２０上に降り注ぐ雨水が、このパネル２０面の傾斜により透光パネル２０の低面側に流れて透光パネル２０の周縁上に開口する溝部３１から流れ込み、当接部の隙間Ｓ１から外周部の隙間Ｓ２を経て係合部２６の空間部Ｓ３に沿って流れ、ネジ溝の切り欠き部を通じて灯具本体１１の外部に排出され、パネル２０面上に雨水が溜まることがなくなる。なお、このようにパネル面上の雨水を効果的に排除するためには、パネル面の傾斜を少なくとも２°以上持たせることが好ましい。
【産業上の利用可能性】
【００２７】
以上の通り、本発明の照明器具は、防水性を確保し、かつ透光パネル面に雨水などが溜まることがなく照明効果を発揮することができるので、地上や建屋の外部などの屋外用の照明装置として、またプールや噴水などの水を使用する周辺の照明装置として広く用いることができる。
【図面の簡単な説明】
【００２８】
【図１】照明器具の主要部分を断面図で示した側面図である。
【図２】灯具部分の正面図である。
【図３】枠体の正面図である。
【図４】図３のＡ−Ｏ−Ｂ線断面図である。
【図５】図１のＣ部の拡大図である。
【符号の説明】
【００２９】
１……照明器具
１１……灯具本体
１２……電球
１３……灯具本体の外周部
２０……透光パネル
２１……枠体
２３……当接部
２３ａ……透光パネルとの当接面
２６……係合部
２８……止水パッキン
３１……溝部
Ｓ１，Ｓ２……隙間
Ｓ３……空間部
【図１】
2006236846.tif 000003
【図２】
2006236846.tif 000004
【図３】
2006236846.tif 000005
【図４】
2006236846.tif 000006
【図５】
2006236846.tif 000007